【手続補正書】
【提出日】平成20年4月30日(2008.4.30)
【手続補正１】
【補正対象書類名】明細書
【補正対象項目名】特許請求の範囲
【補正方法】変更
【補正の内容】
【特許請求の範囲】
【請求項１】  表示状態が変化可能な複数の表示領域を有する可変表示部を含み、変動開始の条件の成立に応じて前記表示領域に表示される識別情報の変動を開始し、該識別情報の表示結果があらかじめ定められた特定表示態様となったことを条件として遊技者に所定の遊技価値が付与可能となる遊技機であって、
遊技の進行を制御する遊技制御手段と、
前記可変表示部の表示制御を行う表示制御手段とを備え、
前記遊技制御手段は、大当りとするか否か決定する大当り決定手段と、前記可変表示部の表示内容を決定する表示内容決定手段と、表示内容決定手段の決定にもとづいて、少なくとも変動時間を特定しうる情報と表示結果を特定可能な情報とを出力可能なコマンド出力手段とを含み、
前記表示制御手段は、前記変動時間を特定しうる情報にもとづいて当該変動時間に対応する識別情報変動パターンで表示制御を実行するとともに、前記表示結果を特定可能な情報にもとづいて表示結果を表示し、当該表示される表示結果に応じて前記識別情報変動パターンを構成する複数の変動態様のうち少なくとも２つの変動態様の期間を変更する変動期間変更手段を含み、
前記変動期間変更手段は、前記識別情報変動パターンの変動時間を変えることなく前記２つの変動態様の期間を変更する
ことを特徴とする遊技機。
【請求項２】  前記変動期間変更手段は、少なくともリーチを成立させる表示領域について変動態様の期間を変更する
請求項１記載の遊技機。
【請求項３】  識別情報変動パターンは高速で一定速の変動態様を含み、
変動期間変更手段は、高速で一定速の変動態様の期間を変更する
請求項２記載の遊技機。
【請求項４】  表示制御手段は、変動態様を他の変動態様に移行させる際に、識別情報を表示結果に応じて差し替える
請求項１から請求項３のうちのいずれかに記載の遊技機。
【請求項５】  表示制御手段は、最終停止する表示領域について識別情報を表示結果に応じて差し替える
請求項４記載の遊技機。
【請求項６】  表示制御手段は、前記識別情報を確定させるまでの間、先に停止した前記表示領域を、通常の変動と同じ態様で正方向と逆方向の変動を繰り返すように表示させる
請求項１から請求項５のうちのいずれかに記載の遊技機。
【手続補正２】
【補正対象書類名】明細書
【補正対象項目名】００１０
【補正方法】変更
【補正の内容】
【００１０】
【課題を解決するための手段】
本発明による遊技機は、表示状態が変化可能な複数の表示領域を有する可変表示部を含み、変動開始の条件の成立に応じて表示領域に表示される識別情報の変動を開始し、識別情報の表示結果があらかじめ定められた特定表示態様となったことを条件として遊技者に所定の遊技価値が付与可能となる遊技機であって、遊技の進行を制御する遊技制御手段と、可変表示部の表示制御を行う表示制御手段とを備え、遊技制御手段は、大当りとするか否か決定する大当り決定手段と、可変表示部の表示内容を決定する表示内容決定手段と、表示内容決定手段の決定にもとづいて少なくとも変動時間を特定しうる情報と表示結果を特定可能な情報とを出力可能なコマンド出力手段とを含み、表示制御手段は、変動時間を特定しうる情報にもとづいて変動時間に対応する識別情報変動パターンで表示制御を実行するとともに、表示結果を特定可能な情報にもとづいて表示結果を表示し、表示される表示結果に応じて識別情報変動パターンを構成する複数の変動態様のうち少なくとも２つの変動態様の期間を変更する変動期間変更手段を含み、変動期間変更手段は、識別情報変動パターンの変動時間を変えることなく２つの変動態様の期間を変更するように構成されている。
【手続補正３】
【補正対象書類名】明細書
【補正対象項目名】００１１
【補正方法】変更
【補正の内容】
【００１１】
変動期間変更手段は、少なくともリーチを成立させる表示領域について変動態様の期間を変更するように構成されていてもよい。
【手続補正４】
【補正対象書類名】明細書
【補正対象項目名】００１２
【補正方法】変更
【補正の内容】
【００１２】
識別情報変動パターンは高速で一定速の変動態様を含み、変動期間変更手段は、高速で一定速の変動態様の期間を変更するように構成されていてもよい。
【手続補正５】
【補正対象書類名】明細書
【補正対象項目名】００１３
【補正方法】変更
【補正の内容】
【００１３】
表示制御手段は、変動態様を他の変動態様に移行させる際に、識別情報を表示結果に応じて差し替えるように構成されていてもよい。
【手続補正６】
【補正対象書類名】明細書
【補正対象項目名】００１４
【補正方法】変更
【補正の内容】
【００１４】
表示制御手段は、最終停止する表示領域について識別情報を表示結果に応じて差し替えるように構成されていてもよい。
【手続補正７】
【補正対象書類名】明細書
【補正対象項目名】００１５
【補正方法】変更
【補正の内容】
【００１５】
表示制御手段は、識別情報を確定させるまでの間、先に停止した表示領域を、通常の変動と同じ態様で正方向と逆方向の変動を繰り返すように表示させるように構成されていてもよい。
【手続補正８】
【補正対象書類名】明細書
【補正対象項目名】０１９５
【補正方法】変更
【補正の内容】
【０１９５】
【発明の効果】
以上のように、請求項１記載の発明では、遊技機を、表示制御手段が、変動時間を特定しうる情報にもとづいて変動時間に対応する識別情報変動パターンで表示制御を実行するとともに、表示結果を特定可能な情報にもとづいて表示結果を表示し、表示される表示結果に応じて識別情報変動パターンを構成する複数の変動態様のうち少なくとも２つの変動態様の期間を変更する変動期間変更手段を含み、変動期間変更手段が、識別情報変動パターンの変動時間を変えることなく２つの変動態様の期間を変更するように構成したので、遊技制御手段の識別情報表示に関する制御の負担を軽くした状態で、実際の変動時間があらかじめ決められている変動時間からずれることのない効果がある。また、変動態様期間が変更されることによって、遊技者は表示結果を予測することが難しくなり、遊技の興趣を増進させることができる効果がある。
【手続補正９】
【補正対象書類名】明細書
【補正対象項目名】０１９６
【補正方法】変更
【補正の内容】
【０１９６】
請求項２記載の発明では、変動期間変更手段が、少なくともリーチを成立させる表示領域について変動態様の期間を変更するように構成されているので、リーチを構成する各識別情報間の停止タイミングの時間関係を常に一定とすることができる効果がある。
【手続補正１０】
【補正対象書類名】明細書
【補正対象項目名】０１９７
【補正方法】変更
【補正の内容】
【０１９７】
請求項３記載の発明では、変動期間変更手段が、高速で一定速の変動態様の期間を変更するように構成されているので、識別情報を目で追いにくい期間の長さが変更されることになって、遊技者に違和感を与えることはないという効果がある。
【手続補正１１】
【補正対象書類名】明細書
【補正対象項目名】０１９８
【補正方法】変更
【補正の内容】
【０１９８】
請求項４記載の発明では、表示制御手段が、変動態様を他の変動態様に移行させる際に、識別情報を表示結果に応じて差し替えるように構成されているので、常に所定の変動制御切り替え時に識別情報の差し替えが行われることになって、やはり、遊技者に違和感を与えることはないという効果がある。
【手続補正１２】
【補正対象書類名】明細書
【補正対象項目名】０１９９
【補正方法】変更
【補正の内容】
【０１９９】
請求項５記載の発明では、表示制御手段が、最終停止する表示領域について識別情報を表示結果に応じて差し替えるように構成されているので、特定された表示結果を確実に表示することができる効果がある。
【手続補正１３】
【補正対象書類名】明細書
【補正対象項目名】０２００
【補正方法】変更
【補正の内容】
【０２００】
請求項６記載の発明では、表示制御手段が、識別情報を確定させるまでの間、先に停止した表示領域を、通常の変動と同じ態様で正方向と逆方向の変動を繰り返すように表示させるように構成されているので、識別情報が確定していないことが容易に認識できる効果がある。